(57)【要約】【課題】従来のおみくじ付きお絞りは包装紙に表示しているので、運勢やおみくじ表記を紙や不織布，布地などのお絞りシートに直接表示することで、広げた時の驚きや面白さを演出できる文言を表示したお絞りを提供する。【解決手段】肌触りがソフトにして吸水性と丈夫さがある紙又は和紙によるお絞りシート２の中ほどに、今日の貴方の運勢などの表題３を表示するとともに、その表題３に関連する健康運、金運、異性運、方角などの運勢表記４を、耐水性で、且つ、人体に無害なインクで印刷して成る文言を表示したお絞り１とする。【選択図】図１
0003141627.tif 000002
【実用新案登録請求の範囲】
【請求項１】
紙や不織布、布地などの素材によるお絞りシート面に、特定の表題とともに関連する文言を表記して成る構成を特徴とする運勢などの文言を表示したお絞り。
【請求項２】
前記する表題と文言が、運勢表記である請求項１に記載の運勢などの文言を表示したお絞り。
【請求項３】
前記する表題と文言が、おみくじ表記である請求項１に記載の運勢などの文言を表示したお絞り。
【請求項４】
前記する表題と文言が、くじ表記である請求項１に記載の運勢などの文言を表示したお絞り。
【請求項５】
前記する表題と文言が、格言表記である請求項１に記載の運勢などの文言を表示したお絞り。
【考案の詳細な説明】
【技術分野】
【０００１】  本考案は、紙や不織布、布製のお絞りに占いや運勢、おみくじ、格言などの文言を表示したお絞りに関する。
【背景技術】
【０００２】  従来、お絞りの包装袋に、おみくじや運勢などの文言を表示したおみくじ付きお絞りがある。〔例えば、特許文献１参照〕
【特許文献１】実用新案登録第３０７５５２３号公報
【考案の開示】
【考案が解決しようとする課題】
【０００３】  上記する実用新案登録第３０７５５２３号公報に開示される考案は、お絞りを包被する包装体を開封した時に包装体の内側面からのみ視認し得る占い情報を、包装フィルムの外面から印刷表示させ、その占い情報に重ねて下地層印刷や各種の装飾印刷を重ねて印刷し、包装体の内側面はこれを無印刷の状態に保って、印刷インク面がお絞り自体に接触しないおみくじ付きお絞りの技術である。【０００４】  しかし、占いやおみくじ表示はお絞りを包んでいる包装体、つまり袋で、且つ、裏側に印刷しているのでお客様には分かりにくく、目に触れないまま使い終わったり、また、使用したお絞りを破いた包装体の上に重ねたまま読まれないことも多い。また包装体を開封する時などに表示部分を破いた場合は読めないなどの不便や欠点がある。【０００５】  加えて、寿司店やスナックなど小さな飲食店の場合は、包装袋に入れない自家製のお絞りを使うことが多いので、その場合、運勢やおみくじ表示するには新しく買い換えるか、オーダーで表示するしかないのでコスト負担になる。
【課題を解決するための手段】
【０００６】  本発明は、上記するような従来の不便や欠点を解消するために、請求項１においては、紙や不織布、布素材によるお絞りシートの中ほどに、表題とともに関連する文言表記をすることで、お絞りを広げた時に驚くとともに、面白さや楽しさを得られる。【０００７】  請求項２においては、前記する文言を運勢表記にすることにより、その日の占いや運気が良い、良くないなどと話題性が得られるお絞りとする。【０００８】  請求項３においては、前記する文言をおみくじ表記にすることで、大吉や吉の他に、前記同様に様々な運気の良し悪しを占えるものとする。【０００９】  請求項４においては、前記する文言をくじ表記にすることで、当たり、ハズレの結果を楽しんだり、当たりの場合は特典や賞品など喜びを得られるものとする。【００１０】  請求項５においては、前記する文言を格言表記にすることで、意義ある言葉を覚えたり思い出して気持ちを新たにできるお絞りとする。
【考案の効果】
【００１１】  本考案におけるお絞りは、小さく巻き込んだり、包装袋に納めた外見上は普通のお絞りに見えるが、広げた時はお絞りの中ほどに「今日の貴方の運勢」や「おみくじ」、「今日のくじ運」などの表題とともに関連する文言表記などが表示されているので、いずれの場合も面白く、驚いたり、楽しさを与えられる、従来には見られない文言を表示したユニークなお絞りを提供できる。【００１２】  このような楽しさや面白さを演出できるお絞りであるため、喫茶店やレストラン、その他の食事処で採用した場合、お客様は喜ぶことはもとより、初対面の人同士の場合は初めから話題性を与える材料になるため、緊張感を和らげて話もスムーズ進められる効果を得られるお絞りとなる。
【考案を実施するための最良の形態】
【００１３】  本考案における文言を表示したお絞りの第１の実施形態を図１に示す斜視図で説明する。第１の実施形態による文言を表示したお絞り１は、肌触りがソフトにして吸水性と丈夫さがある紙又は和紙を素材とする矩形状のお絞りシート２の中ほどに、例えば、「今日の運勢」や「今日の占い」（以下、今日の貴方の運勢と称する）などの表題３を表示するとともに、その近くに前記表題３に関連する健康運、金運、異性運、方角などの運勢表記４の文言を、耐水性で、且つ、人体に無害なインクで印刷して成る文言を表示したお絞り１構成する。【００１４】  第１の実施形態による文言を表示したお絞り１は、紙や和紙を素材とするお絞りシート２の中ほどに、今日の貴方の運勢なる表題３とともに、健康、金運、異性、運勢などの運勢表記４を印刷するが、水分を含むお絞りでもインクが流れたりにじむことなく表示できるとともに、紙素材であるので安価であり使い捨てできるお絞りである。【００１５】  第２の実施形態による文言を表示したお絞りの実施形態を図２に示す斜視図で説明する。第２の実施形態による文言を表示したお絞り１の素材は、不織布によるお絞りシート２Ａとし、その中ほどには、「おみくじ」なる表題３を表示するとともに、その側に大吉、中吉の他、健康、金運、方角等の文言表示したおみくじ表記５を、印刷表示して成る文言を表示したお絞りを１構成する。【００１６】  本実施形態による文言を表示したお絞り１は、不織布によるお絞りシート２Ａであるので、前記第１実施形態の紙素材より厚みとソフト感があり、さらに肌触りも良いとともに破れにくく、且つ、紙と同様に細かい文言表示もきれいに印刷表示できる素材でり、コストも安く使い捨てできる。【００１７】  第３の文言を表示したお絞りの実施形態を図３に示す斜視図で説明する。
本実施形態による文言を表示したお絞り１の素材は、肌触りのよい布地やタオル地などによるお絞りシート２Ｂとし、その中ほどに、「今日のくじ運」なる表題３とともに、「当たり」「ハズレ」などのくじ表記６と賞品や特典などを、印刷もしくは刺繍や織りで表示して成る文言を表示したお絞り１構成する。【００１８】  第３の実施形態による文言を表示したお絞り１の素材は布地を採用しているので、何回でも洗濯して再使用できる。さらに前記の紙や不織布タイプより厚みもあり保水性も大きいので高級感を得られるとともに、その面に表示されたくじ表記６を刺繍や織り表示した場合は一層ゴージャス感を満たすうえ、くじ運の結果を期待できる楽しさを得られる。【００１９】  以上のような各実施形態の表題とともに文言表示をするが、前記する以外に、図示説明しないが格言や川柳や短歌などの表記であってもよい。【００２０】  本考案は以上のように特定の文言を表示したお絞り１であるが、前記する表題３や文言表記以外に、使用する場所や来訪するお客様に対応して詩や短歌、諺、クイズなど人を楽しませたり希望を持たせる文言表記を採用しても構わない。またお絞りシートの素材も、紙や不織布、布素材以外の素材でもよい。さらに文言表記とともに、関連するイラストやマーク、写真など併記しても差し支えず、いずれも特に限定するものではない。
【図面の簡単な説明】
【００２１】
【図１】本考案の第１の実施形態を示す斜視図である。
【図２】本考案の第２の実施形態を示す斜視図である。
【図３】本考案の第３の実施形態を示す斜視図である。
【符号の説明】
【００２２】１  文言を表示したお絞り
２  お絞りシート
２Ａ  お絞りシート
２Ｂ  お絞りシート
３  表題
４  運勢表記
５  おみくじ表記
６  くじ表記
【図１】
0003141627.tif 000003
【図２】
0003141627.tif 000004
【図３】
0003141627.tif 000005
【手続補正書】
【提出日】平成20年1月10日(2008.1.10)
【手続補正１】
【補正対象書類名】実用新案登録請求の範囲
【補正対象項目名】全文
【補正方法】変更
【補正の内容】
【実用新案登録請求の範囲】
【請求項１】
不織布又は布地素材によるお絞りシート面に、耐水性で、且つ、人体に無害なインクにより、特定の表題とともに、その表題に関連する文言を前記お絞りシート面の中ほどに表記して成る構成を特徴とする運勢などの文言を表示したお絞り。
【請求項２】
前記する表題と文言が、運勢表記である請求項１に記載の運勢などの文言を表示したお絞り。
【請求項３】
前記する表題と文言が、おみくじ表記である請求項１に記載の運勢などの文言を表示したお絞り。
【請求項４】
前記する表題と文言が、くじ表記である請求項１に記載の運勢などの文言を表示したお絞り。
【請求項５】
前記する表題と文言が、格言表記である請求項１に記載の運勢などの文言を表示したお絞り。